(57)【特許請求の範囲】
【請求項１】
変速機構を収容する変速機ケースと、前記変速機ケース内の所定箇所に供給されるオイルと前記変速機ケースの外部から供給される熱媒体との間で熱交換する熱交換部とを備えた変速機であって、
前記熱交換部は、前記変速機ケースの周壁の少なくとも一部に、該周壁と一体に設けられ、
前記熱交換部は、前記オイルが流れるオイル流路と、前記熱媒体が流れる熱媒体流路とを備え、
前記オイル流路及び前記熱媒体流路の周壁は、前記変速機ケースの前記周壁と一体に設けられ、
前記オイル流路と前記熱媒体流路とは、前記変速機ケースの前記周壁の厚み方向に直交する方向に沿って互いに平行に延びるように設けられていることを特徴とする変速機。
【請求項２】
前記変速機ケースは、前記変速機構の軸方向に沿って延びる筒状部材であることを特徴とする請求項１に記載の変速機。
【請求項３】
変速機構を収容する変速機ケースと、前記変速機ケース内の所定箇所に供給されるオイルと前記変速機ケースの外部から供給される熱媒体との間で熱交換する熱交換部とを備えた変速機の製造方法であって、
前記変速機ケースの周壁の少なくとも一部に前記熱交換部が形成されるように、該熱交換部を三次元積層造形法によって前記周壁と一体に形成することを特徴とする変速機の製造方法。
【請求項４】
前記変速機ケースの前記周壁の少なくとも一部に、該周壁の外面を構成する外壁部と、該外壁部の内側に間隔を空けて配置されて前記周壁の内面を構成する内壁部と、前記外壁部と前記内壁部とを一体に繋ぐ補強部とを形成し、
前記外壁部と前記内壁部との間に前記熱交換部を形成することを特徴とする請求項３に記載の変速機の製造方法。
【請求項５】
前記熱交換部に、前記オイルが流れるオイル流路と、前記熱媒体が流れる熱媒体流路とを形成し、
前記補強部を、前記オイル流路及び前記熱媒体流路の周壁で構成することを特徴とする請求項４に記載の変速機の製造方法。
【請求項６】
前記変速機構を制御する油圧制御装置のバルブボディの油路と前記オイル流路とが連絡されるように、前記変速機ケースの前記周壁、前記熱交換部及び前記バルブボディを三次元積層造形法によって一体に形成することを特徴とする請求項５に記載の変速機の製造方法。
【請求項７】
前記変速機ケースの前記周壁を、前記三次元積層造形法の積層方向に沿った軸心を有する筒状に形成することを特徴とする請求項３から請求項６のいずれか１項に記載の変速機の製造方法。
【発明の詳細な説明】
【技術分野】
【０００１】
本発明は、変速機ケース内の所定箇所に供給されるオイルと変速機ケースの外部から供給される熱媒体との間で熱交換する熱交換部を備えた車両用の変速機及びその製造方法に関する。
【背景技術】
【０００２】
車両に搭載される自動変速機は、クラッチやブレーキ等の油圧アクチュエータを有する変速機構を備え、前記油圧アクチュエータに対する油圧の給排が制御されることで、車両の運転状態に応じた変速段が適宜形成される。一方、手動変速機は、互いに平行な一対のシャフトと、これらのシャフト間を連絡する複数のギヤ列とを有する変速機構を備え、これらのギヤ列のうちいずれか１つがチェンジレバーの操作に応じて選択的に動力伝達状態となることで、所望の変速段が形成される。
【０００３】
自動変速機及び手動変速機のいずれにおいても、ギヤの噛み合い部やシャフトの軸受等には潤滑や冷却のためのオイルが適宜供給され、自動変速機では、油圧アクチュエータの油圧室やトルクコンバータに対するオイルの給排も行われる。
【０００４】
ところで、変速機ケース内の各部に供給されるオイルの温度が低すぎると、その粘度が高くなることで、油圧制御に遅れが生じたり、ギヤ等の回転体の回転抵抗が増大したりする不具合が生じる。一方、オイルの温度が高すぎると、オイルが劣化しやすくなるなどの不具合が生じる。そこで、変速機ケース内の各部に供給されるオイルを適温に冷却又は加熱するために、該オイルと、変速機ケースの外部におけるエンジンの冷却系統等から供給される水等の熱媒体との間で熱交換する熱交換器が従来から用いられている。
【０００５】
例えば特許文献１に開示されているように、変速機で用いられる従来の熱交換器は、変速機ケースの外周面に取り付けられる。熱交換器に設けられたオイル流路に供給されたオイルは、エンジンの冷却系統等から供給される低温の熱媒体との熱交換によって冷却されたり、高温の熱媒体との熱交換によって加熱されたりすることで適温とされた後、変速機ケース内の各部に供給される。
【先行技術文献】
【特許文献】
【０００６】
【特許文献１】特開２０１４−１４９０１７号公報
【発明の概要】
【発明が解決しようとする課題】
【０００７】
しかしながら、上記の特許文献１のように変速機ケースの外側に熱交換器が取り付けられる従来の構成では、変速機の大型化を招くことから、変速機の車両搭載性に関して改善の余地がある。
【０００８】
また、変速機ケースの外側に取り付けられた熱交換器と、これに接続された配管に対して、変速機の周辺部材の干渉を回避する必要があることから、これら周辺部材のレイアウト自由度が低くなる。
【０００９】
さらに、熱交換器を変速機ケースの外側に取り付けるためには、ブラケットやオイル漏れ防止のためのシール部材等が必要であるため、部品点数が多くなると共に、組付け作業が煩雑になる問題もある。
【００１０】
そこで、本発明は、熱交換機能を有する熱交換部を備えた変速機において、変速機のコンパクト化、変速機周辺のレイアウト自由度の向上、部品点数の低減、及び組付け作業の簡素化を図ることを課題とする。
【課題を解決するための手段】
【００１１】
前記課題を解決するため、本発明に係る変速機及びその製造方法は、次のように構成したことを特徴とする。
【００１４】
請求項１に記載の発明は、変速機構を収容する変速機ケースと、前記変速機ケース内の所定箇所に供給されるオイルと前記変速機ケースの外部から供給される熱媒体との間で熱交換する熱交換部とを備えた変速機であって、
前記熱交換部は、前記変速機ケースの周壁の少なくとも一部に、該周壁と一体に設けられ、
前記熱交換部は、前記オイルが流れるオイル流路と、前記熱媒体が流れる熱媒体流路とを備え、
前記オイル流路及び前記熱媒体流路の周壁は、前記変速機ケースの前記周壁と一体に設けられ、
前記オイル流路と前記熱媒体流路とは、前記変速機ケースの前記周壁の厚み方向に直交する方向に沿って互いに平行に延びるように設けられていることを特徴とする。
【００１５】
請求項２に記載の発明は、前記請求項１に記載の発明において、
前記変速機ケースは、前記変速機構の軸方向に沿って延びる筒状部材であることを特徴とする。
【００１８】
さらに、本願の請求項３に記載の発明は、変速機構を収容する変速機ケースと、前記変速機ケース内の所定箇所に供給されるオイルと前記変速機ケースの外部から供給される熱媒体との間で熱交換する熱交換部とを備えた変速機の製造方法であって、
前記変速機ケースの周壁の少なくとも一部に前記熱交換部が形成されるように、該熱交換部を三次元積層造形法によって前記周壁と一体に形成することを特徴とする。
【００１９】
請求項４に記載の発明は、前記請求項３に記載の発明において、
前記変速機ケースの前記周壁の少なくとも一部に、該周壁の外面を構成する外壁部と、該外壁部の内側に間隔を空けて配置されて前記周壁の内面を構成する内壁部と、前記外壁部と前記内壁部とを一体に繋ぐ補強部とを形成し、
前記外壁部と前記内壁部との間に前記熱交換部を形成することを特徴とする。
【００２０】
請求項５に記載の発明は、前記請求項４に記載の発明において、
前記熱交換部に、前記オイルが流れるオイル流路と、前記熱媒体が流れる熱媒体流路とを形成し、
前記補強部を、前記オイル流路及び前記熱媒体流路の周壁で構成することを特徴とする。
【００２１】
請求項６に記載の発明は、前記請求項５に記載の発明において、
前記変速機構を制御する油圧制御装置のバルブボディの油路と前記オイル流路とが連絡されるように、前記変速機ケースの前記周壁、前記熱交換部及び前記バルブボディを三次元積層造形法によって一体に形成することを特徴とする。
【００２２】
請求項７に記載の発明は、前記請求項３から請求項６のいずれか１項に記載の発明において、
前記変速機ケースの前記周壁を、前記三次元積層造形法の積層方向に沿った軸心を有する筒状に形成することを特徴とする。
【発明の効果】
【００２７】
請求項１に記載の発明に係る変速機によれば、変速機ケースの周壁の少なくとも一部に、該周壁と一体の熱交換部が設けられるため、変速機ケースの周壁の大きな面積を利用して、オイルと熱媒体との間の熱交換を行うための十分なスペースを確保しつつ、周壁の厚み方向において熱交換部をコンパクトに形成することができ、これにより、熱交換部を設けることによる変速機の大型化を抑制できる。したがって、変速機ケースの外側に熱交換器が取り付けられる従来の変速機に比べて、変速機の車両搭載性を高めることができる。
【００２８】
さらに、変速機ケースの周壁と熱交換部が一体に設けられることで、変速機ケースの周壁の一部が熱交換部として共用されることになり、変速機ケースと熱交換器がそれぞれ別体として個別に形成される従来の変速機に比べて、これらの形成に用いられる材料が削減される。したがって、変速機のコンパクト化及び軽量化を図ることができる。
【００２９】
また、変速機ケースの外側に熱交換器が配設される従来の変速機に比べて、変速機の周辺部材のレイアウト自由度を高めることができる。さらに、熱交換器を変速機ケースの外側に取り付けるためのブラケットやシール部材を省略できるため、部品点数を低減できると共に、組付け作業を簡素化することができる。
【００３０】
またさらに、変速機ケースの周壁に一体化された熱交換部の熱媒体流路と、変速機の外部から導かれる熱媒体用の配管との接続部を、周壁の任意の位置に設けることが可能であるため、前記熱媒体用の配管のレイアウト自由度が向上する。
また、熱交換部におけるオイル流路と熱媒体流路の周壁が変速機ケースの周壁と一体に設けられることで、熱交換部と変速機ケースの周壁との一体化を具体的に実現できる。
また、熱交換部のオイル流路と熱媒体流路が互いに平行に延びていることにより、オイルと熱媒体との間での効果的な熱交換を実現しつつ、これらの流路が変速機ケースの周壁の厚み方向に直交する方向に沿って延びるように設けられることで、熱交換部を前記厚み方向にコンパクトに形成できる。
【００３１】
請求項２に記載の発明によれば、変速機構の軸方向に沿って延びる筒状の変速機ケースを、前記軸方向に沿った積層方向での三次元積層造形法によって形成することで、この造形中における変速機ケースの変形が抑制され、これにより、変速機ケース及び熱交換部を精度よく形成することができる。
【００３４】
請求項３に記載の発明によれば、熱交換部が三次元積層造形法によって変速機ケースの周壁と一体に形成されることで、該周壁の少なくとも一部に熱交換部が形成されるため、変速機ケースの周壁の大きな面積を利用して、オイルと熱媒体との間の熱交換を行うための十分なスペースを確保しつつ、周壁の厚み方向において熱交換部をコンパクトに形成することができ、これにより、熱交換部を設けることによる変速機の大型化を抑制できる。したがって、変速機ケースの外側に熱交換器が取り付けられる従来の変速機に比べて、変速機の車両搭載性を高めることができる。
【００３５】
さらに、変速機ケースの周壁と熱交換部が一体に設けられることで、変速機ケースの周壁の一部が熱交換部として共用されることになり、変速機ケースと熱交換器がそれぞれ別体として個別に形成される従来の変速機に比べて、これらの形成に用いられる材料が削減される。したがって、変速機のコンパクト化及び軽量化を図ることができる。
【００３６】
また、変速機ケースの外側に熱交換器が配設される従来の変速機に比べて、変速機の周辺部材のレイアウト自由度を高めることができる。さらに、熱交換器を変速機ケースの外側に取り付けるためのブラケットやシール部材を省略できるため、部品点数を低減できると共に、組付け作業を簡素化することができる。
【００３７】
またさらに、変速機ケースの周壁に一体化された熱交換部の熱媒体流路と、変速機の外部から導かれる熱媒体用の配管との接続部を、周壁の任意の位置に設けることが可能であるため、前記熱媒体用の配管のレイアウト自由度が向上する。
【００３８】
請求項４に記載の発明によれば、変速機ケースの周壁の少なくとも一部に外壁部と内壁部を設けることで形成された周壁の中空部に熱交換部を形成しつつ、中空化された周壁部分に、外壁部と内壁部を一体に繋ぐ補強部が形成されることで、当該周壁部分の剛性を良好に確保することができる。
【００３９】
請求項５に記載の発明によれば、熱交換部のオイル流路と熱媒体流路の周壁が前記補強部として機能することで、変速機ケースの周壁の外壁部と内壁部との間に専用の補強部を設けることなく、当該周壁部分の剛性を高めることができる。また、専用の補強部が省略されることで、オイル流路と熱媒体流路の配設スペースを確保しやすくなり、これにより、熱交換機能の向上が図られる。
【００４０】
請求項６に記載の発明によれば、変速機ケースの周壁及び熱交換部と共に、油圧制御装置のバルブボディも三次元積層造形法によって一体に形成されるため、変速機の部品点数及び組立工数を削減できる。また、変速機ケースの周壁の一部が熱交換部及びバルブボディとして共用されることになり、これらがそれぞれ別体として個別に形成される場合に比べて、これらの形成に用いられる材料が削減される。したがって、変速機を全体的に小型化及び軽量化することができる。
【００４１】
さらに、熱交換部のオイル流路にバルブボディの油路が連絡されるように熱交換部とバルブボディが一体化されるため、これらの油路間を接続する配管が省略されることで、部品点数及び組立工数を更に低減できる。
【００４２】
請求項７に記載の発明によれば、三次元積層造形法による筒状の変速機ケースの形成において、該変速機ケースの軸心に沿った積層方向で造形が行われるため、この造形中における変速機ケースの変形が抑制され、これにより、変速機ケース及び熱交換部を精度よく形成することができる。
【図面の簡単な説明】
【００４３】
【図１】本発明の一実施形態に係る変速機を車体後方側から見た図である。
【図２】同変速機の内部構造を概略的に示す図１のＡ−Ａ線断面図である。
【図３】同変速機を示す図２のＢ矢視図である。
【図４】同変速機を示す図２のＣ矢視図である。
【図５】図２のＤ部を拡大した熱交換部の断面図である。
【図６】熱交換部の断面構造の一例を示す図５のＥ−Ｅ線断面図である。
【図７】熱交換部の断面構造の第１変形例を示す図６と同様の断面図である。
【図８】熱交換部の断面構造の第２変形例を示す図６と同様の断面図である。
【図９】三次元積層造形法によって一体に形成される変速機ケースのケース本体、熱交換部、バルブボディ、ピストンシリンダ及びサポート部を示す一部破断側面図である。
【発明を実施するための形態】
【００４４】
以下、添付図面を参照しながら、本発明の実施形態に係る変速機の構成について説明する。
【００４５】
図１は、本実施形態に係る変速機を車体後方側から見た図、図２は、同変速機の内部構造を概略的に示す図１のＡ−Ａ線断面図、図３は、同変速機を示す図２のＢ矢視図、図４は、同変速機を示す図２のＣ線矢視図である。なお、図２では、発明の理解を容易にするために変速機構の図示が省略されている。
【００４６】
［変速機の全体構成］
図１〜図４に示すように、本実施形態に係る変速機は、例えば、フロントエンジンフロントドライブ車等のエンジン横置き式自動車に適用される自動変速機１であり、車体幅方向に延びる軸心を有する変速機構（図示せず）を収容する変速機ケース２を備えている。なお、図示は省略するが、車体幅方向における自動変速機１の例えば右側には、エンジン等の駆動源が配設されている。
【００４７】
図２に示すように、自動変速機１は、変速機構の軸心に沿って延びる入力軸１４と、入力軸１４よりも車体後方側において該入力軸１４と平行に配置されたカウンタ軸９２とを備えている。入力軸１４は、例えば、トルクコンバータの出力部であるタービンシャフト（図示せず）と一体に構成されており、トルクコンバータを介して駆動源に連結されている。
【００４８】
なお、入力軸１４の軸線上には、変速機構を構成するクラッチやブレーキ等の摩擦締結要素（図示せず）が複数設けられており、油圧制御装置による油圧制御によって摩擦締結要素が選択的に締結されることで、シフトレンジや車両の運転状態に応じた変速段が形成される。
【００４９】
入力軸１４とカウンタ軸９２は、入力軸１４と同一軸線上に配置された出力部としてのカウンタドライブギヤ（図示せず）と、カウンタ軸９２に設けられたカウンタドリブンギヤ（図示せず）との噛み合いによって駆動連結されている。
【００５０】
カウンタ軸９２の車体後方側の斜め下方には車軸９６が配設されている。車軸９６の軸線上には、カウンタ軸９２に設けられたファイナルドライブギヤ（図示せず）に噛み合う差動装置のデフリングギヤ（図示せず）が配設されている。
【００５１】
前記カウンタドライブギヤから出力された変速機構の出力回転は、カウンタ軸９２を介して減速されて差動装置に伝達される。該差動装置に入力された動力は、走行状況に応じた回転差となるように左右の車軸９６に伝達される。
【００５２】
図１〜図４に示すように、変速機ケース２は、外周囲を構成するケース本体３と、ケース本体３の反駆動源側（左側）の開口端部を閉塞するエンドカバー５とを有する。ケース本体３は、変速機構の軸方向（入力軸１４の軸方向）に沿って延びる筒状部材であり、変速機構を取り囲むように配置される。また、ケース本体３の駆動源側（右側）の開口端部の合わせ面３ｂには、トルクコンバータを収容するコンバータハウジング６が結合されている。
【００５３】
図２〜図４に示すように、変速機ケース２のケース本体３には、油圧制御装置のバルブボディ１００、変速機構を構成するブレーキのピストンシリンダ１０８、及び後述の熱交換部３０が三次元積層造形法によって一体に形成されている。これにより、部品点数及び組立工数の低減、並びに、自動変速機１全体の小型化及び軽量化が図られている。
【００５４】
［油圧制御装置のバルブボディ］
バルブボディ１００は、変速機構の軸方向に沿って延びる概ね筒状の全体形状を有し、変速機構を取り囲むように配置される。
【００５５】
バルブボディ１００には、その内周面１００ａから径方向内側に突出するようにピストンシリンダ１０８が一体に連なっている。ピストンシリンダ１０８は、バルブボディ１００の内周面から径方向内側に延びる環状の縦壁部１０４と、該縦壁部１０４の内周側端部から反駆動源側へ軸方向に延びる内側筒部１０６とで構成されており、軸方向の反駆動源側に開放した周溝状に形成されている。このピストンシリンダ１０８内には、変速機構のブレーキのピストン（図示せず）が収容されて油圧室（図示せず）が形成される。
【００５６】
また、バルブボディ１００には、ソレノイドバルブ１５０やスプールバルブ１６０が装着される複数のバルブ挿入穴１２０と、これらのバルブ挿入穴１２０に連絡される油路１１０とが設けられている。
【００５７】
バルブ挿入穴１２０に連絡される油路１１０は、三次元積層造形法によるバルブボディ１００の造形によって形成されるため、従来のように金型を用いた成形によって油路が形成される場合に比べて、油路１１０の向き、配置、断面形状、個数等、具体的な油路１１０の構成に関しては高い設計自由度が得られる。そのため、例えば、大部分の油路１１０をバルブボディ１００の形状に合わせて周方向に延びるように形成することで、バルブボディ１００を径方向にコンパクトに形成することが可能になる。
【００５８】
バルブ挿入穴１２０は、三次元積層造形法によるバルブボディ１００の造形時に下穴が形成された後、その下穴の内周面に仕上げ加工が施されることで形成される。ただし、三次元積層造形法による造形時にバルブボディ１００に下穴を形成せずに、造形後に行われる機械加工のみによってバルブ挿入穴１２０を形成してもよい。
【００５９】
バルブ挿入穴１２０は、バルブボディ１００の内周面１００ａに沿って周方向に間隔を空けて配置されている。全てのバルブ挿入穴１２０は、変速機構の軸方向に延びるように形成されており、軸方向の駆動源側に開口している。これにより、バルブ挿入穴１２０の内周面を仕上げ加工するとき、全てのバルブ挿入穴１２０に対して同じ方向から加工を行うことができると共に、バルブ挿入穴１２０にバルブ１５０，１６０を取り付けるとき、全てのバルブ１５０，１６０を同じ方向から差し込むことができる。
【００６０】
ソレノイドバルブ１５０及びスプールバルブ１６０は、バルブボディ１００の油路１１０などと共に油圧制御回路（図示せず）を構成している。該油圧制御回路は、ソレノイドバルブ１５０やスプールバルブ１６０の動作によって、変速機構を構成する摩擦締結要素の油圧室、変速機構におけるギヤの噛み合い部分や軸受部分等といった変速機ケース２内の被潤滑部、及び、トルクコンバータの各部等に対するオイルの給排を制御する。
【００６１】
ソレノイドバルブ１５０としては、リニアソレノイドバルブ又はオンオフソレノイドバルブが用いられる。リニアソレノイドバルブは、例えば、摩擦締結要素の油圧室に供給される油圧を直接的に制御するバルブとして用いられ、オンオフソレノイドバルブは、例えば、スプールバルブ１６０の制御ポートへの油圧供給経路を開閉するバルブとして用いられる。
【００６２】
スプールバルブ１６０は、例えば、機械式オイルポンプの吐出圧をライン圧に調整する調圧レギュレータバルブ、運転者によるシフトレバーの操作に連動して油圧供給経路を切り換えるマニュアルバルブ、ソレノイドバルブ１５０の故障時に所定の変速段を実現するように油圧供給経路を切り換えるフェールセーフバルブ等、種々の切換バルブとして機能し得る。
【００６３】
なお、バルブボディ１００には、更に、チェックバルブ、オリフィス等、油圧制御回路を構成するその他の構成要素が一体に設けられてもよい。また、チェックバルブやオリフィス等がバルブボディ１００とは別の部品で構成される場合、当該別部品が装着される穴等の被装着部がバルブボディ１００に設けられるようにしてもよい。
【００６４】
［熱交換部］
図２に示すように、本実施形態に係る自動変速機１は、変速機ケース２内の各部に供給されるオイルと、例えばエンジンの冷却系統等、自動変速機１の外部から供給される水等の熱媒体との間で熱交換を行う熱交換部３０を更に備えている。この熱交換部３０は、変速機ケース２のケース本体３の周壁３ａの一部に、該周壁３ａと一体に設けられている。熱交換部３０は、周壁３ａの外面３ｄと内面３ｅとの間に設けられている。
【００６５】
より具体的に、熱交換部３０は、例えば、周壁３ａにおける入力軸１４の下方に位置する部分の近傍部から、車体前方側に配置される部分及びカウンタ軸９２の上方部を通って、車軸９６の上方部に至るまで周方向に連続するように設けられている。
【００６６】
また、図３及び図４において領域Ｔで示される周壁３ａ部分において、熱交換部３０は車体幅方向に連続するように設けられている。熱交換部３０が設けられる領域Ｔは、車体幅方向における周壁３ａの大部分の範囲に亘り、車体上下方向における周壁３ａの上端部から下端近傍部に至る範囲に亘り、且つ、車体前後方向における周壁３ａの前端部から後端近傍部に至る範囲に亘る領域とされている。
【００６７】
ただし、周壁３ａにおいて熱交換部３０が設けられる領域は、これに限定されるものでなく、任意に変更可能である。また、周壁３ａの全体に熱交換部３０が設けられたり、周壁３ａにおける複数の領域に熱交換部３０が分割されて設けられたりしてもよい。
【００６８】
図５に示すように、熱交換部３０が設けられた部分において、ケース本体３の周壁３ａは、その外面３ｄを構成する外壁部２１と、内面３ｅを構成する内壁部２２とを備えている。外壁部２１と内壁部２２は、周壁３ａの厚み方向（壁厚方向Ｄ３）に間隔を空けて配置されている。外壁部２１と内壁部２２は、周方向Ｄ２の大部分の位置において互いに平行に配置されている。
【００６９】
熱交換部３０は、周壁３ａを構成する外壁部２１と内壁部２２との間に設けられている。熱交換部３０は、変速機ケース２内の各部に供給されるオイルが流れるオイル流路３１と、水等の熱媒体が流れる熱媒体流路３２とを備えている。
【００７０】
オイル流路３１及び熱媒体流路３２は、壁厚方向Ｄ３に直交する方向、具体的には周方向Ｄ２に延びるように形成されている。これにより、熱交換部３０を全体的に壁厚方向Ｄ３にコンパクトに形成できる。また、オイル流路３１及び熱媒体流路３２は、互いに平行に配置されており、これにより、オイルと熱媒体との間での効果的な熱交換を実現可能となっている。オイル流路３１及び熱媒体流路３２は、それぞれ、周方向Ｄ２の一方に向かって流れる流路部分と、他方に向かって流れる流路部分とを備え、これらの流路部分は互いに連絡されている。
【００７１】
オイル流路３１の一端は導入用油路１１２（図２参照）に接続されており、オイル流路３１の他端は供給用油路１１４（図２参照）に接続されている。導入用油路１１２及び供給用油路１１４はバルブボディ１００に形成されており、バルブボディ１００に形成された別の油路１１０に連絡されている。ここで、熱交換部３０はバルブボディ１００と一体に設けられているため、バルブボディ１００の導入用油路１１２及び供給用油路１１４に対するオイル流路３１の接続には、何らの接続部材も不要であり、これにより、部品点数及び組立工数の低減が図られる。
【００７２】
このようにしてオイル流路３１がバルブボディ１００の油路１１０に連絡されていることにより、熱交換が行われるオイルは、バルブボディ１００の油路１１０から導入用油路１１２を経由してオイル流路３１に導入され、該オイル流路３１を流れているときに、熱媒体流路３２を流れる低温の熱媒体によって冷却されたり、高温の熱媒体によって加熱されたりする。その後、オイル流路３１から供給用油路１１４を経由してバルブボディ１００の油路１１０に排出されたオイルは、油圧制御装置による制御によって変速機ケース２内の各部に供給されて、潤滑や冷却又は油圧制御に用いられる。
【００７３】
一方、熱媒体流路３２の一端は、熱媒体が供給される供給口４１（図２参照）に連絡されており、熱媒体流路３２の他端は、熱媒体を排出する排出口４３（図２参照）に接続されている。
【００７４】
図２に示すように、供給口４１及び排出口４３は、熱交換部３０が設けられた部分においてケース本体３の周壁３ａの外面３ｄから突出した筒状の配管接続部４０，４２の先端に設けられている。配管接続部４０，４２には、例えばエンジンの冷却系統に連絡された配管が接続される。
【００７５】
配管接続部４０，４２は、例えば、熱交換部３０の周方向Ｄ２（図５参照）の一端に設けられ、ケース本体３の下端近傍に配設されるが、配管接続部４０，４２は、ケース本体３の周壁３ａの任意の位置に設けることができる。したがって、配管接続部４０，４２に接続される配管のレイアウトも自由に設計可能である。
【００７６】
上記のようにして熱媒体流路３２がエンジンの冷却系統に連絡されることで、該冷却系統から供給口４１を経由して熱媒体流路３２に供給された比較的低温又は比較的高温の熱媒体は、熱媒体流路３２を流れることで、オイル流路３１を流れるオイルとの間で熱交換を行い、これにより、オイルが冷却又は加熱される。その後、熱媒体流路３２を流れるオイルは、排出口４３から排出されて、エンジンの冷却系統に戻される。
【００７７】
なお、エンジンの冷却系統には、比較的低温の熱媒体が流れる流路、比較的高温の熱媒体が流れる流路、及び、これらの流路を選択的に供給口４１に連絡させる切換手段が設けられることが好ましく、これにより、熱媒体流路３２に供給される熱媒体の温度を切り換えることができる。
【００７８】
図６には、熱交換部３０の断面構造の一例が示されている。図６に示す例では、オイル流路３１と熱媒体流路３２が、壁厚方向Ｄ３及び変速機構の軸方向Ｄ１において、それぞれ交互に並ぶように配置されている。
【００７９】
オイル流路３１の断面形状は、軸方向Ｄ１に長い長円状とされている。このようにコーナ部が丸みを帯びた断面形状とされることで、低温時において、粘度の高いオイルがオイル流路３１のコーナ部に付着して流れ難くなることが抑制されている。
【００８０】
一方、熱媒体流路３２の断面形状は、軸方向Ｄ１に長い長方形状とされている。熱媒体流路３２の断面は、直角のコーナ部が形成されていることにより、オイル流路３１に比べて大きな面積を有する。
【００８１】
各オイル流路３１及び各熱媒体流路３２は、軸方向Ｄ１に延びる一対の第１壁部３４と壁厚方向Ｄ３に延びる一対の第２壁部３５とからなる周壁３３で囲まれている。
【００８２】
外壁部２１と内壁部２２との間において、第１壁部３４は、壁厚方向Ｄ３に間隔を空けて複数設けられており、壁厚方向Ｄ３に隣接する第１壁部３４同士は、複数の第２壁部３５を介して一体に連なっている。各第１壁部３４は、壁厚方向Ｄ３に互いに隣接するオイル流路３１と熱媒体流路３２を仕切っている。
【００８３】
第２壁部３５は、軸方向Ｄ１に間隔を空けて複数設けられており、軸方向Ｄ１に隣接する第２壁部３５同士は、複数の第１壁部３４を介して一体に連なっている。各第２壁部３５は、外壁部２１から内壁部２２まで壁厚方向Ｄ３に延びるように設けられ、軸方向Ｄ１に互いに隣接するオイル流路３１と熱媒体流路３２を仕切っている。
【００８４】
このように第１壁部３４と第２壁部３５が設けられていることにより、外壁部２１と内壁部２２との間には、複数の周壁３３が格子状に一体に連なるように設けられている。格子状に連なる周壁３３は、外壁部２１と内壁部２２とに一体に連なっており、これにより、ケース本体３の周壁３ａと一体化されている。
【００８５】
このようにして外壁部２１と内壁部２２とを一体に繋ぐ周壁３３は、熱交換部３０を形成するために中空化された周壁３ａ部分を補強する補強部として機能し、これにより、当該周壁３ａ部分の剛性が高められている。また、このようにオイル流路３１と熱媒体流路３２の周壁３３が補強部として機能することにより、専用の補強部を省略できるため、オイル流路３１と熱媒体流路３２の配設スペースを広く確保することができ、これにより、熱交換部３０の熱交換性能の向上を図ることができる。
【００８６】
熱交換部３０の断面構造は図６に示すもの限られず、例えば、図７に示す第１変形例、又は、図８に示す第２変形例のような断面構造であってもよい。
【００８７】
図７に示すように、第１変形例に係る熱交換部２３０では、図６に示す熱媒体流路３２と同様の熱媒体流路２３２ａと、該熱媒体流路２３２ａを軸方向Ｄ１の両側及び壁厚方向Ｄ３の両側に延ばして断面十字状とした熱媒体流路２３２ｂとが混在している。オイル流路２３１は、図６に示すオイル流路３１と同様の断面形状を有し、いずれのオイル流路２３１も、軸方向Ｄ１及び壁厚方向Ｄ３において周壁２３３を挟んで熱媒体流路２３２ａ，２３２ｂに隣接して配置されている。したがって、第１変形例においても、オイル流路２３１を流れるオイルは、熱媒体流路２３２ａ，２３２ｂを流れる熱媒体との間で効果的な熱交換がなされ得る。
【００８８】
また、第１変形例においても、オイル流路２３１及び熱媒体流路２３２ａ，２３２ｂの周壁２３３は、外壁部２１と内壁部２２とを一体に繋ぐように設けられており、ケース本体３の周壁３ａを補強する補強部として機能し得る。
【００８９】
図８に示すように、第２変形例に係る熱交換部３３０において、オイル流路３３１及び熱媒体流路３３２の周壁３３３は、２つの異なる方向に傾斜した第１壁部３３４及び第２壁部３３５を備えており、オイル流路３３１及び熱媒体流路３３２は断面菱形に形成されている。また、オイル流路３３１及び熱媒体流路３３２は、軸方向Ｄ１及び壁厚方向Ｄ３に対して傾斜した方向において交互に並ぶように配置されている。
【００９０】
第２変形例においても、オイル流路３３１と熱媒体流路３３２は、周壁３３３を挟んで隣接して配置されており、オイル流路３３１を流れるオイルと、熱媒体流路３３２を流れる熱媒体との間での効果的な熱交換が可能となっている。
【００９１】
また、周壁３３３は、傾斜した格子状に一体に連なるように形成されており、外壁部２１と内壁部２２とを一体に繋いでいる。したがって、周壁３３３が補強部として機能することで、ケース本体３の周壁３ａの剛性が良好に確保される。
【００９２】
［ケース本体の製造方法］
変速機ケース２のケース本体３は、３Ｄプリンタを用いて、熱交換部３０、バルブボディ１００及びピストンシリンダ１０８と三次元積層造形法によって一体に形成される。これにより、熱交換部３０のオイル流路３１、熱媒体流路３２、バルブボディ１００のバルブ挿入穴１２０、油路１１０、導入用油路１１２及び供給用油路１１４等の空洞部を除いた全ての部分が一体に連なるように形成される。
【００９３】
三次元積層造形法における具体的なプリント方式は特に限定されないが、ケース本体３の材料としてアルミニウム等の金属を用いる場合は、例えば、敷き詰められた金属粉末の層の任意の位置に電子ビーム又はレーザを照射することで、該照射部分を焼結させて造形した後、次の層を敷き詰めるという動作を繰り返す粉末焼結積層造形法が採用され得る。
【００９４】
また、ケース本体３の材料として樹脂を用いる場合も、粉末焼結積層造形法を採用してもよいが、樹脂材料を用いる場合は、金属材料に比べて多くのプリント方式を採用することができ、例えばインクジェット方式等、ニーズに応じたプリント方式を採用すればよい。なお、ケース本体３を樹脂で形成する場合、変速機ケース２の剛性を高めるために、ケース本体３全体が金属製の筒状部材で被覆されるようにしてもよい。
【００９５】
図９に示すように、三次元積層造形法によるケース本体３の形成において、積層方向Ｄ４は上方に向かう方向であり、ケース本体３は、バルブボディ１００の軸心、バルブ挿入穴１２０の軸心、及びケース本体３の軸心が上下方向に沿って配置される姿勢で形成される。
【００９６】
ケース本体３の特にピストンシリンダ１０８の造形を安定的に行うために、造形中にピストンシリンダ１０８を下側から支持するサポート部１９９を、積層方向Ｄ４の下端から上方に延びるようにケース本体３と一体に形成することが好ましい。サポート部１９９は、例えば、積層方向Ｄ４の下端に形成される扁平な円柱部１９９ａと、該円柱部１９９ａから上方に延びる長尺の筒状部１９９ｂとで構成される。サポート部１９９は、例えば、縦壁部１０４を支持する部分に設けられる。
【００９７】
このようにケース本体３と一体にサポート部１９９が造形されるため、サポート部１９９よりも上側におけるピストンシリンダ１０８、バルブボディ１００及び熱交換部３０の造形は、サポート部１９９によって下側から支持された状態で安定的に行われ、これらを精度よく形成することができる。
【００９８】
また、バルブ挿入穴１２０は、三次元積層造形法の積層方向Ｄ４に平行な軸心に沿って形成されるため、バルブボディ１００の造形中に、バルブ挿入穴１２０の内周が変形することなく安定して形成される。そのため、バルブ挿入穴１２０を精度よく形成することができる。したがって、特にスプールバルブ用のバルブ挿入穴１２０においてスプールの円滑な移動を実現でき、これにより、応答性に優れた油圧制御を実現できる。
【００９９】
三次元積層造形法によるケース本体３の造形が終了すると、サポート部１９９は除去される。サポート部１９９の筒状部１９９ｂは、内部が空洞であることにより低剛性とされているため、サポート部１９９は容易に除去可能である。
【０１００】
その後、バルブ挿入穴１２０の内周面や端面、サポート部１９９と繋がっていた部分等に仕上げ加工が施されたり、ケース本体３の両端面に設けられるボルト穴のねじ切り加工が施されたりすることで、ケース本体３が完成する。
【０１０１】
なお、サポート部１９９は必ずしも形成する必要はなく、特に樹脂材料を用いた造形を行う場合、採用するプリント方式（例えば粉末焼結積層造形法）によっては、サポート部１９９を省略することが可能である。
【０１０２】
以上のように、上述した熱交換部３０が三次元積層造形法によってケース本体３の周壁３ａと一体に形成されることで、該周壁３ａの一部に熱交換部３０が形成されるため、周壁３ａの大きな面積を利用して、オイルと熱媒体との間の熱交換を行うための十分なスペースを確保しつつ、周壁３ａの厚み方向において熱交換部３０をコンパクトに形成することができ、これにより、熱交換部３０を設けることによる自動変速機１の大型化を抑制できる。したがって、変速機ケースの外側に熱交換器が取り付けられる従来の自動変速機に比べて、自動変速機１の車両搭載性を高めることができる。
【０１０３】
さらに、ケース本体３の周壁３ａと熱交換部３０が一体に設けられることで、周壁３ａの一部が熱交換部３０として共用されることになり、ケース本体と熱交換器がそれぞれ別体として個別に形成される従来の自動変速機に比べて、これらの形成に用いられる材料が削減される。したがって、自動変速機１のコンパクト化及び軽量化を図ることができ、これにより、自動変速機１の車両搭載性及び車両の燃費性能が向上する。
【０１０４】
また、ケース本体３の周壁３ａに熱交換部３０が一体化されることで、変速機ケースの外側に熱交換器が配設される従来の自動変速機に比べて、自動変速機１の周辺部材のレイアウト自由度を高めることができる。さらに、熱交換器を変速機ケースの外側に取り付けるためのブラケットやシール部材を省略できるため、部品点数を低減できると共に、組付け作業を簡素化することができる。
【０１０５】
さらに、ケース本体３及び熱交換部３０と共に、油圧制御装置のバルブボディ１００も三次元積層造形法によって一体に形成されるため、自動変速機１の部品点数及び組立工数を更に削減できると共に、自動変速機１の更なる小型化及び軽量化を実現することができる。
【０１０６】
以上、上述の実施形態を挙げて本発明を説明したが、本発明は上述の実施形態に限定されるものではない。
【０１０７】
例えば、上述の実施形態では、ケース本体３及び熱交換部３０に対して、バルブボディ１００及びピストンシリンダ１０８も一体化する例を説明したが、本発明において、バルブボディ及びピストンシリンダは変速機ケースと別体であってもよい。
【０１０８】
また、上述の実施形態では、本発明を自動変速機に適用する場合について説明したが、本発明は手動変速機にも同様に適用可能である。
【産業上の利用可能性】
【０１０９】
以上のように、本発明によれば、熱交換機能を有する熱交換部を備えた変速機において、変速機のコンパクト化、変速機周辺のレイアウト自由度の向上、部品点数の低減、及び組付け作業の簡素化を図ることが可能となるから、この種の変速機及びこれを搭載した車両の製造産業分野において好適に利用される可能性がある。
【符号の説明】
【０１１０】
１          自動変速機
２          変速機ケース
３          ケース本体
３ａ        ケース本体の周壁
３ｂ        コンバータハウジングとの合わせ面
３ｄ        周壁の外面
３ｅ        周壁の内面
５          エンドカバー
６          コンバータハウジング
１４        入力軸
２１        外壁部
２２        内壁部
３０        熱交換部
３１        オイル流路
３２        熱媒体流路
３３        流路の周壁
３４        第１壁部
３５        第２壁部
４０        配管接続部
４１        供給口
４２        配管接続部
４３        排出口
９２        カウンタ軸
９６        車軸
１００      バルブボディ
１０４      縦壁部
１０６      内側筒部
１０８      ピストンシリンダ
１１０      油路
１１２      導入用油路
１１４      供給用油路
１２０      バルブ挿入穴
１５０      ソレノイドバルブ
１６０      スプールバルブ
１９９      サポート部
２３０      熱交換部
２３１      オイル流路
２３２ａ    熱媒体流路
２３２ｂ    熱媒体流路
２３３      流路の周壁
３３０      熱交換部
３３１      オイル流路
３３２      熱媒体流路
３３３      流路の周壁
３３４      第１壁部
３３５      第２壁部
【図１】
0006390574.tif 000002
【図２】
0006390574.tif 000003
【図３】
0006390574.tif 000004
【図４】
0006390574.tif 000005
【図５】
0006390574.tif 000006
【図６】
0006390574.tif 000007
【図７】
0006390574.tif 000008
【図８】
0006390574.tif 000009
【図９】
0006390574.tif 000010